(57)【要約】      （修正有）【課題】２つの同じ形状の結束バンドを十文字状に組み合わせることができ、組み合わせるための構造によって結束できるリングの大きさが制限されない結束バンドを提供する。【解決手段】バンド１０の長手方向に沿って係合凸部が複数形成され、バンドの一端に係合凸部に係合する係合孔形成部１１を有する結束バンドＸにおいて、長手方向に沿う、互いに並列に配置された２条のスリット孔からなる交差部１３がバンド部分に１以上形成する。【選択図】図３
0003193980.tif 000002
【実用新案登録請求の範囲】
【請求項１】
バンド部分の長手方向に沿って係合凸部が複数形成され、前記バンド部分の一端に当該係合凸部に係合する係合孔を有する結束バンドにおいて、
前記バンド部分の長手方向に沿う、互いに並列に配置された２条のスリット孔からなる交差部が前記バンド部分に１以上形成される
結束バンド。
【請求項２】
前記交差部は少なくとも前記バンド部分の長手方向に関する中央近傍に設けられる請求項１に記載の結束バンド。
【考案の詳細な説明】
【技術分野】
【０００１】
本考案は、並んで配置された係合凸部と、これに係合する係合孔が端部に設けられた結束バンドに関し、特に、結束バンド同士を組み合わせることができるものに関する。
【背景技術】
【０００２】
結束バンドは、簡易にリングを形成し、リング径を自在に調節できることから、物を束ねたり、柱などに物を固定したり等、種々の用途に使用されている。
ところで、新聞や雑誌を重ねたものを束ねる場合十文字状に結束バンドを重ねて使用する場合がある。このような場合、結束バンド同士が十文字状に連結していると便利である。このような使用方法に対応するものとして、下記特許文献１には結束バンドを縦バンドと横バンドの２種類用意し、一方に他方が通る穴を設けたり、一方に係合する突起を設け、他方に突起に係合する穴を設けたりすることで十文字に組み合わせるものが示されている。また、特許文献２には、結束バンドの係合孔形成部分に一の係合孔に直交するもう一つの係合孔を設け、これによって結束バンド同士を直交して組み合わせることができるものが示されている。
【先行技術文献】
【特許文献】
【０００３】
【特許文献１】特開平８−１３３３３１号公報
【特許文献２】特許４７９２１４４号公報
【考案の概要】
【考案が解決しようとする課題】
【０００４】
しかし、特許文献１に記載の結束バンドは２種類の結束バンドが必要であるので、製造コストがかかり、一方を紛失等すると使えなくなる。また、突起や穴を設けることで、結束バンドの係合孔はこの部分を通ることができなくなるので、組み合わせるための構造によって結束バンドで形成できるリングの大きさが制限されるという問題もある。特許文献２に記載の結束バンドは、１種類の結束バンドで足り、結束バンドの途中で引っかかるという問題はないが、端部で交わるので十文字に形成することができず、新聞や雑誌を束ねたものを結束する場合に扱いが難しい。
本考案は、このような問題に鑑みて、２つの同じ形状の結束バンドを十文字状に組み合わせることができ、組み合わせるための構造によって結束できるリングの大きさが制限されない構造を有する結束バンドを提供することを課題とする。
【課題を解決するための手段】
【０００５】
上記課題を解決するために、本考案は、次のような構成を有する。
請求項１に記載の考案は、バンド部分の長手方向に沿って係合凸部が複数形成され、前記バンドの一端に当該係合凸部に係合する係合孔を有する結束バンドにおいて、前記バンド部分の長手方向に沿う、互いに並列に配置された２条のスリット孔からなる交差部前記がバンド部分に１以上形成されるものである。
請求項２に記載の考案は、前記結束バンドにおいて、前記交差部は少なくとも前記バンド部分の長手方向に関する中央近傍に設けられるものである。
【考案の効果】
【０００６】
以上のような構成により、本考案は、次のような効果を奏する。
請求項１に記載の考案は、２本の結束バンドを用意し、一方の結束バンドの先端を他方の結束バンドの交差部における一方のスリット孔に表面から裏面へ通し、さらに他方のスリット孔に裏面から表面へ通すことで、結束バンド同士を交差した状態で組み合わせることができる。このように同じ構造を有する結束バンド同士を組み合わせることができ、交差部はスリット孔により形成されるので、係合孔に引っかかることがなく組み合わせる構造によって結束できるリングの大きさが制限されることもない。
請求項２に記載の考案は、交差部をバンド部分中央近傍に設けることで、二本の結束バンドを中央に近い部分で交差する十文字に形成することができ、新聞や雑誌を束ねる際に利便性を高くすることができる。
【図面の簡単な説明】
【０００７】
【図１】（ａ）は実施形態に係る結束具の正面図であり、（ｂ）は同結束具の背面図であり、（ｃ）は同結束具の側面図である。
【図２】（ａ）は実施形態に係る結束具の基端側の拡大縦断面図であり、（ｂ）は同結束具の先端側の拡大縦断面図である。
【図３】実施形態に係る結束具同士を組み合わせた状態を示す斜視図である。
【図４】（ａ）は牽引具の斜視図であり、（ｂ）は牽引具の使用状態を示す斜視図である。
【考案を実施するための形態】
【０００８】
以下、本考案の実施の形態について、図面を参照しながら説明する。
図１（ａ）に本実施形態に係る結束具Ｘの正面図を示し、図１（ｂ）に結束具Ｘの背面図を示し、図１（ｃ）に結束具Ｘの側面図を示す。結束具Ｘはベルト本体１０、ベルト本体１０の基端側に設けられる係合孔形成部１１、先端側から表面の一定範囲に長手方向に沿って形成される係合凸部１２、ベルト本体１０に設けられる交差部１３、先端部近傍に設けられる丸穴１４から構成される。
結束具Ｘは可撓性かつ弾性のあるプラスチックにより各部が一体に成型される。ベルト本体１０は扁平な帯状体からなり先端部が鋭角に形成される。結束具Ｘは新聞や雑誌を束ねるためのものであり、ここではベルト本体１０は幅１０ｃｍ、長さ１００ｃｍ程度に設定される。図２（ａ）に結束具Ｘの基端側近傍の拡大縦断面図を示す。係合孔形成部１１は角筒状で、孔部分が係合孔を構成する。係合孔には基端側が回動可能に係合孔内面に固定される爪１１ａが設けられる。爪１１ａの先端側は断面がのこぎり状に形成されている。図２（ｂ）に係合具Ｘの先端側近傍の拡大縦断面図を示す。係合凸部１２は傾斜面が先端側に面する断面直角三角形状の突起により形成される。係合孔形成部１１及び係合凸部１２は一般的な結束具と同じ構成であり、係合凸部１２が係合孔形成部１１の係合孔に挿入されると、係合孔内の爪１１ａが係合凸部１２に引っかり、挿入方向と逆側には動けないように規制するものである。
交差部１３はベルト本体１０の長手方向に延びる２条の並列に配置されたスリット状の孔により形成される。交差部１３は本実施形態では３つ形成される。
【０００９】
次に、以上のような構成を有する結束具Ｘの使用方法について説明する。結束具Ｘは１本で使用する場合は、一般的な結束具と同じように使用することができる。この際、交差部１３は孔であるので係合孔に引っかかることがなく、自由に係合孔を通ることができる。そして、新聞や雑誌を束ねる際には、図３に示すように、２本の結束具Ｘを用意し、一方の結束具Ｘを他方の結束具Ｘの交差部１３に通すことで組み合わせる。より詳細に説明すると、一方の結束具Ｘの先端を交差部１３の一方のスリット孔に上面から下面に通し、さらに、他方のスリット孔の下面から上面に通すことで図３のような状態とすることができる。この状態で新聞や雑誌を束ねたものを上に置き、それぞれの結束具Ｘを結束すれば簡単に新聞や雑誌を束ねることができる。
なお、結束具Ｘを結束する際に、強く結束するために結束具Ｘの丸孔１４を用いる。具体的には、図４（ａ）に示すような、プレート２１上に、丸孔１４に貫通できる円柱２２を立設するとともに、指が通る穴２３を設けた牽引具Ｐを用いる。図４（ｂ）に示すように、この牽引具Ｐの円柱２１を丸孔１４に通して、穴２３に指を入れて引っ張れば締結具Ｘの先端を強く引っ張ることができ、強く結束することができる。
本実施形態に係る結束具Ｘは、２条のスリットからなる交差部１３を設けることで、同じ形状の結束具Ｘ同士を十文字状に交差して組み合わせることができ、又、交差部１３は孔なので係合凸部１２が配列されている部分にも設けることが可能であり、係合孔に引っかかることもないので、交差部１３が結束具Ｘで形成されるリングの大きさを規制することがない。
【００１０】
なお、上記実施形態で示した結束具の係合凸部及び係合孔形成部は例示であり、係合凸部をベルトの側縁に設ける等、形状は適宜変更することができる。また、交差部の数も適宜変更してよいことはいうまでもない。さらに、上記実施形態では結束ベルトは２本を組み合わせて十文字に形成しているが、複数の交差部を利用して３本以上の結束ベルトを任意に組み合わせることができる。
【符号の説明】
【００１１】
Ｘ  結束具
Ｐ  牽引具
１０  ベルト本体
１１  係合孔形成部
１２  係合凸部
１３  交差部
１４  丸孔
【図１】
0003193980.tif 000003
【図２】
0003193980.tif 000004
【図３】
0003193980.tif 000005
【図４】
0003193980.tif 000006